(57)【要約】【課題】一般家庭用に用いられる白物家電を用いて、遠隔介護を実施、運用する集合住宅向け遠隔介護システムを提供する。【解決手段】集合住宅向け遠隔介護システムは、集合住宅１０００を構成する居住空間１０１０、１０２０、１０３０、１０４０内に設置された家電２００と、家電２００に設けられ、居住空間１０１０、１０２０、１０３０、１０４０に存在する住人の行動を検知する検知部を備える。そして、検知部から送信される検知情報に基づいて、複数の居住空間１０１０、１０２０、１０３０、１０４０に設置された家電２００を遠隔制御する遠隔監視装置１００を備える。【選択図】図１
2017011698.tif 000002
【特許請求の範囲】
【請求項１】
集合住宅を構成する居住空間内に設置された家電と、
前記家電に設けられ、前記居住空間に存在する住人の状態を検知する検知部と、
前記検知部から送信される検知情報に基づいて、前記居住空間に設置された前記家電を遠隔制御する遠隔監視装置と、
を備える集合住宅向け遠隔介護システム。
【請求項２】
前記遠隔監視装置は、
前記検知情報と、前記家電が設置される前記居住空間に関連する属性情報と、に基づいて、
前記家電を遠隔制御する、
請求項１に記載の集合住宅向け遠隔介護システム。
【請求項３】
前記属性情報は、前記家電の設置場所に関する情報であり、
前記遠隔監視装置は、前記属性情報を記憶する、
請求項２記載の集合住宅向け遠隔介護システム。
【請求項４】
前記属性情報は、前記居住空間の日当たりに関する情報であり、
前記遠隔監視装置は、前記属性情報を記憶する、
請求項２に記載の集合住宅向け遠隔介護システム。
【請求項５】
前記属性情報は、前記居住空間に設置される前記家電の性能情報であり、
前記遠隔監視装置は、前記属性情報を記憶する、
請求項２に記載の集合住宅向け遠隔介護システム。
【請求項６】
前記属性情報は、前記居住空間の住人に関する情報であり、
前記遠隔監視装置は、前記属性情報を記憶する、
請求項２に記載の集合住宅向け遠隔介護システム。
【請求項７】
前記属性情報は、前記居住空間の前記家電に設けられた前記検知部の情報であり、
前記遠隔監視装置は、前記属性情報を記憶する、
請求項２に記載の集合住宅向け遠隔介護システム。
【請求項８】
集合住宅を構成する居住空間内に設置され、前記居住空間に存在する住人の状態を検知する第２の検知部を、さらに備え、
前記遠隔監視装置は、前記検知部と前記第２の検知部とから送信される検知情報に基づいて、前記居住空間に設置された前記家電を遠隔制御する、
請求項１に記載の集合住宅向け遠隔介護システム。
【請求項９】
前記家電は、前記属性情報として、前記家電を個別に特定する認証コードを、さらに備え、
前記遠隔監視装置は、
検知した前記認証コードに基づいて、特定の前記家電を遠隔制御する、
請求項２に記載の集合住宅向け遠隔介護システム。
【請求項１０】
集合住宅を構成する居住空間内に設置される家電に設けられ、
前記居住空間に存在する住人の状態を検知する検知部から送信される検知情報に基づいて、
前記居住空間に設置された前記家電を遠隔制御する集合住宅向け遠隔介護システムに用いられる遠隔監視装置。
【発明の詳細な説明】
【技術分野】
【０００１】
本発明は、集合住宅向け遠隔介護システムおよびそれに用いる遠隔監視装置に関する。
【背景技術】
【０００２】
近年、エアコンなどの白物家電の発達が目覚しい。例えば、エアコンは、内蔵した撮像部または人感センサで人物の位置や動きを捉えて、その人物の状態に適した空調制御を行う。さらに、エアコンは、人感センサで不審者の侵入の検知や、子供やペットの見守りを行う。上記機能を備える白物家電が知られている（例えば、特許文献１参照）。
【０００３】
また、近年では、独り暮らしの高齢者が増加し、高齢者を見守るための遠隔介護システムの普及が望まれている。遠隔介護システムは、様々な形態で実現されている。例えば、高齢者が日頃慣れ親しんだ一般家庭用の白物家電に内蔵されたセンサを活用して、そのセンサ情報によって高齢者を見守る遠隔介護システムが実現されている。これにより、見守られる高齢者は、監視されている感覚が少なくなる。また、高齢者の状況によって、遠隔介護システムは最適な白物家電の制御を行う。その結果、高齢者に対して快適な遠隔介護システムを提供している。
【０００４】
しかしながら、白物家電を用いて集合住宅向け遠隔介護システムを、どのように実施、運用するのかについては、一般的に知られていない。
【先行技術文献】
【特許文献】
【０００５】
【特許文献１】特開２０１０−０７１５９５号公報
【発明の概要】
【発明が解決しようとする課題】
【０００６】
本発明は、一般家庭で使用される白物家電を用いて、遠隔介護システムを実施、運用するための集合住宅向け遠隔介護システムおよびそれに用いる遠隔監視装置を提供する。
【課題を解決するための手段】
【０００７】
本発明の集合住宅向け遠隔介護システムは、集合住宅を構成する居住空間内に設置された家電と、家電に内蔵され、居住空間に存在する住人の状態を検知する検知部と、検知部から送信される検知情報に基づいて、複数の居住空間に設置された家電を遠隔制御する遠隔監視装置とを備える。
【発明の効果】
【０００８】
本発明は、見守られる人にとって監視されている感覚を少なくして、見守られる人に快適な居住環境を与える集合住宅向け遠隔介護システムを提供できる。
【図面の簡単な説明】
【０００９】
【図１】図１は、本発明の実施の形態１における集合住宅向け遠隔介護システムの全体構成を表す図
【図２】図２は、同実施の形態における遠隔監視装置の構成を示すブロック図
【図３】図３は、同実施の形態における家電の構成を示すブロック図
【図４】図４は、同実施の形態における集合住宅向け遠隔介護システムのシーケンス図
【図５】図５は、同実施の形態における遠隔監視装置での表示例を示す図
【図６】図６は、同実施の形態における遠隔監視装置での別の表示例を示す図
【図７】図７は、同実施の形態におけるユーザ情報と報知レベルとを関連付けしたテーブルの例を示す図
【図８】図８は、本発明の実施の形態２における集合住宅向け遠隔介護システムのシーケンス図
【図９】図９は、同実施の形態における集合住宅向け遠隔介護システムのシーケンス図
【図１０】図１０は、本発明の実施の形態における集合住宅向け遠隔介護システムの全体構成の変形例を表す図
【発明を実施するための形態】
【００１０】
以下、本発明の実施の形態について、図面を参照しながら説明する。なお、この実施の形態によって本発明が限定されるものではない。
【００１１】
（実施の形態１）
まず、実施の形態１に係る集合住宅向け遠隔介護システムについて、図１を用いて説明する。
【００１２】
図１は、実施の形態１における集合住宅向け遠隔介護システムの全体構成を表す図である。
【００１３】
本実施の形態の集合住宅向け遠隔介護システムは、図１に示すように、遠隔監視装置１００、集合住宅１０００に配置される家電２００、情報収集装置３００などから構成される。なお、家電２００は、主にエアコンや冷蔵庫、洗濯機、炊飯器など、いわゆる白物家電と言われる家電が例示される。
【００１４】
以下、集合住宅１０００が、例えば４つの居住空間１０１０、１０２０、１０３０、１０４０で構成される場合を例に説明する。この場合、家電２００として、居住空間１０１０、１０２０、１０３０、１０４０のそれぞれに対応して、例えば白物家電２００ａ、２００ｂ、２００ｃ、２００ｄなどが配置される。
【００１５】
遠隔監視装置１００は、例えばサーバやパーソナルコンピュータなどによって実現される。遠隔監視装置１００は、家電２００から送信される種々の情報を、情報収集装置３００を介して受信する。そして、遠隔監視装置１００は、受信データを分析する。さらに、遠隔監視装置１００は、対応する家電２００に制御コマンドを送信し、家電２００を遠隔操作する。
【００１６】
情報収集装置３００は、家電２００との間で種々の情報を通信する中継装置として機能する。なお、通信は、有線通信、無線通信のどちらでもよく、特定の通信方法に限定されない。
【００１７】
以上のように、本実施の形態の集合住宅向け遠隔介護システムが構成される。
【００１８】
以下に、集合住宅向け遠隔介護システムに用いられる遠隔監視装置１００の構成について、図２を用いて説明する。
【００１９】
図２は、遠隔監視装置１００の内部構成を示すブロック図である。
【００２０】
遠隔監視装置１００は、図２に示すように、通信部１１０、制御部１２０、表示部１３０、入力部１４０、属性情報記憶部１５０などを備える。
【００２１】
通信部１１０は、情報収集装置３００との間で種々の情報を通信する。なお、通信は、情報収集装置３００と同様に、有線通信、無線通信のどちらでもよく、特定の通信方法に限定されない。
【００２２】
制御部１２０は、情報収集装置３００を介して通信部１１０で受信されたデータを演算する。そして、制御部１２０は、例えば液晶ディスプレイなどで構成される表示部１３０に、演算したデータなどを表示させる。また、制御部１２０は、例えばキーボードやマウスなどで構成される入力部１４０を介して、入力される入力情報を受け取る。そして、制御部１２０は、受け取った入力情報を演算して、演算したデータを表示部１３０に表示させる。
【００２３】
属性情報記憶部１５０は、それぞれの居住空間１０１０、１０２０、１０３０、１０４０に関連する属性情報を記憶している。居住空間に関連する属性情報は、具体的には、例えば家電の居住空間内の設置場所に関する情報、居住空間の日当たりに関する情報を含む情報である。さらに、属性情報は、居住空間に設置される家電の性能に関する情報、居住空間の住人に関する情報を含む情報である。なお、属性情報に、居住空間の家電に内蔵される検知部の検知情報を含んでもよい。
【００２４】
以上のように、集合住宅向け遠隔介護システムに用いられる遠隔監視装置１００が構成される。
【００２５】
以下に、集合住宅向け遠隔介護システムに用いられる家電２００の構成について、図３を用いて説明する。
【００２６】
図３は、家電２００の内部構成を示すブロック図である。
【００２７】
家電２００は、図３に示すように、本来の機能要素に加えて、少なくとも駆動部２１０、検知部２２０、制御部２３０、通信部２４０などを備える。
【００２８】
駆動部２１０は、本来の機能要素とともに、家電２００の本来の機能を行う。駆動部２１０は、本来の機能のうち主要な動作を行う。例えば、家電２００がエアコンの場合、コンプレッサーが駆動部２１０に相当する。また、家電２００が炊飯器の場合、釜を加熱する加熱部が駆動部２１０に相当する。
【００２９】
検知部２２０は、それを内蔵する家電２００が設置された居住空間にいる人の存在や人の動作などを検知する。なお、検知部２２０は、例えば赤外線センサや撮像カメラ、超音波センサなどで実現される。
【００３０】
また、検知部２２０は、居住空間内の温度や湿度、居住空間外の温度などを検知してもよい。
【００３１】
そして、制御部２３０は、検知部２２０により人の存在や動作を検知した場合、検知した情報（検知情報）を、通信部２４０を介して情報収集装置３００へ送信する。また、制御部２３０は、検知部２２０で検知した居住空間内の温度や湿度、居住空間外の温度を、通信部２４０を介して情報収集装置３００へ送信する。さらに、制御部２３０は、家電２００に対して設定された設定情報を、通信部２４０を介して情報収集装置３００へ送信する。なお、設定情報は、例えば家電２００がエアコンの場合、温度設定情報などである。
【００３２】
通信部２４０は、情報収集装置３００との間で種々の情報を通信する。なお、通信は、有線通信、無線通信のどちらでもよく、特定の通信方法に限定されない。また、通信部２４０は、家電２００に内蔵されている必要はなく、家電２００と電気的に接続されていれば、家電２００とは別体に設けられていてもよい。
【００３３】
以上のように、集合住宅向け遠隔介護システムに用いられる家電２００が構成される。
【００３４】
つまり、本実施の形態の集合住宅向け遠隔介護システムは、検知部２２０で検知した検知情報を情報収集装置３００に送信可能に構成される。そして、情報収集装置３００は、受信した検知情報を遠隔監視装置１００に送信する。これにより、遠隔監視装置１００の操作者は、表示部１３０を介して、居住空間内の人の在不在情報や、気温などを閲覧できる。また、遠隔監視装置１００の操作者は、それぞれの居住空間内の人の見守りを行うことができる。さらに、遠隔監視装置１００は、居住空間内の人が快適になるように、家電２００を、自動または手動操作により、適切に制御することができる。
【００３５】
つぎに、本実施の形態の集合住宅向け遠隔介護システムの実施および運用動作について、図４を用いて説明する。
【００３６】
図４は、集合住宅向け遠隔介護システムの実施および運用動作を説明するシーケンス図である。
【００３７】
まず、家電２００は、定期的に、以下に示す検知情報を、情報収集装置３００へ送信する（ステップＳ４０１）。なお、検知情報は、検知部２２０で検知された情報（例えば、人の存在や人の動作などの状態、居住空間内の温度や湿度、居住空間外の温度）、あるいは家電２００に対して設定された設定情報などである。
【００３８】
つぎに、情報収集装置３００は、送信された検知情報を中継して、遠隔監視装置１００へ送信する（ステップＳ４０２）。
【００３９】
つぎに、遠隔監視装置１００は、情報収集装置３００から送信された検知情報を含む受信データを分析する（ステップＳ４０３）。
【００４０】
ここで、まず、検知情報や属性情報について、図５および図６を用いて、より詳細に説明する。
【００４１】
図５は、遠隔監視装置１００の表示部１３０に、ある住人（Ｘ様）の居住空間に関連する検知情報や属性情報を一覧にした表示例を示す図である。図６は、別の住人（Ｙ様）の居住空間に関連する検知情報や属性情報を一覧にした表示例を示す図である。なお、図５および図６は、家電２００がエアコンの場合を例に表示している。そのため、家電２００により、表示内容が変更されることは言うまでもない。
【００４２】
図５および図６に示すように、表示部１３０は、例えば画面上方に、以下の検知情報を時系列で表示する。
【００４３】
検知情報は、住人の居住空間の室内温度、室内湿度、室外温度、設定状態（家電２００に対して設定された設定情報）である。さらに、家電２００の電気代の累積値、異常発生の有無、検知部２２０で検知された人の動作情報（人感センサ値）などである。なお、図５および図６では、人感センサ値を、５段階のレベル値で表示している。具体的には、レベル値０は人の動きがない状態、レベル値５は人が活発に動いている状態を示している。
【００４４】
また、表示部１３０は、画面下方に、所有家電情報、センサ情報、ユーザ情報などの属性情報や、アクションボタンが表示されている。
【００４５】
所有家電情報は、居住空間にある検知部２２０を備える家電２００の、例えば製造メーカや製品番号、居住空間内での家電の設置場所などの情報である。なお、設置場所には、例えば「朝日が入る」、「西日の影響を受ける」などの居住空間の日当たりに関する情報などが含まれる。
【００４６】
センサ情報は、居住空間内にある検知部２２０の、例えばセンサ数などの情報である。なお、センサ情報として、例えば検知部２２０の製品番号や性能情報などを含んでもよい。
【００４７】
ユーザ情報は、居住空間内の住人の年齢や、暑がり、寒がりといった好みの情報である。ユーザ情報は、表示部１３０の画面最下方に表示される。
【００４８】
アクションボタンは、画面右下側に表示され、ボタン操作により家電２００への制御指示を行う。同様に、遠隔監視装置１００の操作者は、入力部１４０を介して家電２００へ制御指示を行うことができる。
【００４９】
なお、表示部１３０は、画面の右上に、「自動制御モード」または「手動制御モード」などが表示される。図５および図６では、「自動制御モード」と表示された状態を図示している。「自動制御モード」は、操作者が自らアクションボタンを押すことなく、制御部１２０の判断でアクションボタンの操作を決定するモードである。一方、「手動制御モード」と表記されている場合、制御部１２０がアクションボタンの操作を決定することなく、操作者が自らアクションボタンを押して操作を決定する必要がある。
【００５０】
以上のように、検知情報や属性情報が、遠隔監視装置１００の表示部１３０に表示される。
【００５１】
つぎに、ステップＳ４０３の受信データの分析について、図６を参照しながら説明する。
【００５２】
図６には、分析結果に基づいて遠隔監視装置１００が家電２００に温度低下を促す制御指示を行う場合の表示例を示している。
【００５３】
つまり、図６では、例えば時刻１３：００から、室内温度が室外温度の上昇に伴い上昇を続け、時刻１４：３０の時点で２５度にまで達した室内の状態を示している。
【００５４】
このとき、制御部１２０は、属性情報記憶部１５０に記憶されている属性情報のユーザ情報に基づいて、住人の好みが、暑がりで２４度以下の室内温度環境を望んでいることを把握する。そこで、制御部１２０は、「温度↓」のアクションボタンの表示態様を変更する。具体的には、手動制御モードにおいて、操作者が「温度↓」のアクションボタンを押した場合と同様に、他のアクションボタンと異なる色で表示させる。
【００５５】
そして、制御部１２０は、通信部１１０を介して家電２００（例えば、エアコン）へ設定温度を低下させる制御コマンドを送信する。具体的には、図６の例の場合、制御部１２０は、２３度であった設定温度を２２度とする制御コマンドを家電２００に送信することになる。
【００５６】
つまり、受信データの分析結果に基づいて、図４に示すように、遠隔監視装置１００の制御部１２０は、該当する家電２００に制御コマンドを送信（発信）するか否かを判断する（ステップＳ４０４）。制御コマンドを送信しない場合（ステップＳ４０４のＮｏ）、ステップＳ４０３に戻って、以降のステップを実行する。
【００５７】
一方、制御コマンドの送信が必要な場合（ステップＳ４０４のＹｅｓ）、制御部１２０は制御コマンドを情報収集装置３００に送信する（ステップＳ４０５）。
【００５８】
以上のように、受信データの分析が行われる。
【００５９】
つぎに、情報収集装置３００は、送信された制御コマンドを中継して、該当する家電２００へ送信する（ステップＳ４０６）。
【００６０】
以上のように、本実施の形態によれば、遠隔監視装置は、居住空間に存在する住人の行動（状態）に基づいて、最適な家電の遠隔制御が実現できる。例えば、住人の熱中症の防止や、住人がヒートショックを受けないように、エアコンを制御することができる。
【００６１】
なお、本実施の形態では、ステップＳ４０３の分析において、住人に対して居住空間が快適になるように家電２００を遠隔制御する例で説明したが、これに限られない。例えば、ステップＳ４０３の分析において、住人の見守り機能を実現してもよい。具体的には、図５や図６において、例えば家電２００が所定期間、運転を継続しているにも関わらず、一定時間以上、人感センサ値がレベル値０を検知し続けた場合、制御部１２０は、住人に異常が発生したと察知する。そして、制御部１２０は、遠隔監視装置１００の操作者に対して、アラームなどで報知し、住人の状態を確認するように促す。これにより、住人の見守り機能を実現できる。
【００６２】
また、制御部１２０は、検知部２２０が異常な温度を検知した場合、遠隔監視装置１００の操作者に対して、アラームなどで報知し、居住空間や家電の状態を確認するように促してもよい。
【００６３】
また、制御部１２０は、夜間の時間帯（例えば、時刻２２：００から時刻７：００の間）に、一定時間以上、人感センサ値がレベル値０を検知し続けた場合、遠隔監視装置１００の操作者に対して、アラームなどで報知し、住人の状態を確認するように促してもよい。
【００６４】
また、制御部１２０は、属性情報記憶部１５０に記憶されている属性情報のユーザ情報、例えば住人が必要とする介護レベル（介護度）に基づいて、報知のレベルを異ならせてもよい。ここで、介護レベルは、その住人がどの程度の介護が必要かに応じて、予め設定した情報である。
【００６５】
以下に、住人の介護レベルに基づいて、報知のレベルを異ならせた場合の具体例について、図７を用いて説明する。
【００６６】
図７は、ユーザ情報と報知レベルとを関連付けしたテーブルである。
【００６７】
属性情報記憶部１５０には、報知レベルがユーザ情報と関連付けされて記憶されている。
【００６８】
図７に示すように、ユーザ情報と報知レベルとを関連付けしたテーブルには、ユーザ情報として、住人の氏名、または、居住空間の番号（部屋番号）と、介護レベルが登録されている。また、報知レベルとして、許容される検知値の範囲である許容検知範囲、および、許容される検知時間である許容検知時間が登録されている。
【００６９】
なお、図７のテーブルに示す介護レベルには、日本の厚生労働省が定める要介護認定の基準を用いている。
【００７０】
具体的には、要介護認定の基準では、要介護と要支援の２つのレベルに大別される。要介護は、さらに、介護の必要性に応じて、５つのレベルに細分される。例えば、要介護５は、入浴、排せつ、食事などの生活に関する補助の必要性や、洗濯、掃除などの家事援助の必要性が高い状態である。また、徘徊、不潔な行動などの問題行動に対する処置の必要性や歩行などの日常生活の機能訓練の必要性が高い状態である。さらに、医療的処置の必要性が高い状態の場合に認定される。一方、要介護１は、上記に列挙した必要性が低い状態の場合に認定される。要支援は、介護は不要であるが、日常生活に不便をきたしている状態の場合に認定される。
【００７１】
また、許容検知範囲としては、住人が許容できる室内温度である許容温度範囲を用いている。許容検知時間としては、人感センサが異常を検知した後に、対応が許容される時間を用いている。
【００７２】
つぎに、住人の介護レベルに基づいて、集合住宅向け遠隔介護システムの実施および運用動作について、特に、図４に示すステップＳ４０３の受信データの分析について、説明する。
【００７３】
まず、遠隔監視装置１００の制御部１２０は、ステップＳ４０３において、検知部２２０が検知した検知情報のうち、人感センサ値のレベル値０が許容検知時間以上の場合、住人に異常が発生したと察知する。あるいは、検知部２２０が検知した検知情報のうち、室内温度が許容温度範囲外となった場合、制御部１２０は居住空間や家電２００に異常が発生したと察知する。
【００７４】
そして、制御部１２０は、遠隔監視装置１００の操作者に対して、アラームなどで報知し、住人や居住空間の状態を確認するように促す。
【００７５】
具体的には、図７に示す要介護５の住人であるＡ様に対しては、人感センサ値のレベル値０が検知時間１０分以上継続して検知された場合、アラームなどで報知する。そして、遠隔監視装置１００の操作者や住人を介護する介護者に、住人を確認するなどの対応を促す。
【００７６】
一方、ある程度、自立した行動ができる要介護２の住人であるＢ様に対しては、人感センサ値のレベル値０が検知時間６０分以上継続して検知された場合、アラームなどで報知する。そして、遠隔監視装置１００の操作者や介護者に、住人を確認するなどの対応を促す。
【００７７】
これにより、遠隔監視装置１００の操作者や介護者は、介護レベルが高い住人に対しては、短時間で状態を認識し、即座に対応できる。一方、介護レベルが低い住人の場合に対しては、対応するまでの時間的な猶予が与えられる。その結果、遠隔監視装置１００の操作者や介護者の負担を軽減できる。
【００７８】
また、図７に示すユーザ情報と報知レベルとを関連付けしたテーブルには、ユーザ情報に応じて、優先度が登録されている。
【００７９】
そこで、優先度に基づいて、集合住宅向け遠隔介護システムの実施および運用動作について、説明する。
【００８０】
まず、遠隔監視装置１００は、図４に示すステップＳ４０３において、複数の住人の状態を、同時に、操作者に報知する必要がある場合、属性情報記憶部１５０に記憶されている優先度にしたがって、優先度の高い住人の状態を、優先的に、操作者に報知する。これにより、遠隔監視装置１００の操作者や介護者は、例えば介護レベルが高いなど、優先度の高い住人に対して、優先的に対応ができる。その結果、遠隔監視装置１００の操作者や介護者の負担を軽減できる。
【００８１】
以上のように、遠隔監視装置１００の操作者に対して、居住空間の住人の、例えば介護レベルや優先度に応じた報知を行うことができる。これにより、住人に対して、より適切な見守りで対応できる。
【００８２】
また、本実施の形態では、居住空間１０１０、１０２０、１０３０、１０４０のそれぞれに、家電２００として、１台の白物家電２００ａ、２００ｂ、２００ｃ、２００ｄがある場合を例に説明したが、これに限られない。例えば、１つの居住空間に、複数台の家電２００を配置する構成としてもよい。これにより、遠隔監視装置１００の操作者などは、複数の家電２００からの検知情報や属性情報に基づいて、さらに精細に住人の様子を把握することができる。
【００８３】
また、本実施の形態では、家電２００として白物家電を例に説明したが、これに限られない。家電２００とともに、例えばテレビやレコーダーなどの、いわゆる黒物家電からのセンサ情報などの検知情報を用いて、集合住宅向け遠隔介護システムを構築してもよい。これにより、より精細に住人の様子を把握することができる。
【００８４】
（実施の形態２）
以下に、実施の形態２に係る集合住宅向け遠隔介護システムについて、説明する。
【００８５】
本実施の形態の集合住宅向け遠隔介護システムは、特定の製造メーカの家電２００に限って遠隔監視装置１００と接続して制御する点で、実施の形態１とは異なる。なお、基本的な制御方法以外は、実施の形態１の構成と同じであるので、詳細な説明は省略する。
【００８６】
集合住宅１０００内には、異なる製造メーカや機種の家電２００が多く存在する。この場合において、特定の製造メーカの家電２００と遠隔監視装置１００とを接続させて、住人の快適さを実現したい場合がある。例えば、遠隔監視装置１００と接続する家電を、特定の製造メーカの家電２００に限定する。これにより、家電と遠隔監視装置１００との間の通信プロトコルが単純になる。その結果、集合住宅向け遠隔介護システムを低コストで実現できる。
【００８７】
以下に、特定の製造メーカの家電２００と遠隔監視装置１００とを接続させるための手順について、図８および図９を用いて説明する。
【００８８】
図８は、遠隔監視装置１００に家電２００の適合性を判断させる初期段階のシーケンス図である。
【００８９】
図８に示すように、まず、家電２００は申請信号を、情報収集装置３００へ送信する（ステップＳ７０１）。
【００９０】
つぎに、情報収集装置３００は、送信された申請信号を中継して、遠隔監視装置１００へ送信する（ステップＳ７０２）。
【００９１】
申請信号を受信した遠隔監視装置１００は、申請信号に含まれる家電２００の製造メーカに関する情報を用いて、所定の製造メーカであるか否かを判断する（ステップＳ７０３）。このとき、所定の製造メーカでないと判断された場合（ステップＳ７０３のＮｏ）、手続きを終了する（ステップＳ７０４）。
【００９２】
一方、所定の製造メーカであると判断された場合（ステップＳ７０３のＹｅｓ）、所定の認証コードを情報収集装置３００へ送信する（ステップＳ７０５）。
【００９３】
つぎに、情報収集装置３００は、送信された所定の認証コードを中継して、該当する家電２００へ送信する（ステップＳ７０６）。
【００９４】
以上により、特定の製造メーカの家電２００が認証され、遠隔監視装置１００と接続される。
【００９５】
つぎに、本実施の形態の集合住宅向け遠隔介護システムにおける、認証された特定の家電２００との運用動作について、図９を用いて説明する。
【００９６】
なお、図９の処理において、図４で示す処理と同様の処理には同じ番号を付与して、簡単に説明する。そして、図４で説明していない処理について、より詳しく説明する。
【００９７】
まず、家電２００は、定期的に、以下に示す情報を、情報収集装置３００を介して、遠隔監視装置１００へ送信する（ステップＳ４０１およびステップＳ４０２）。遠隔監視装置１００に送信する情報は、検知部２２０で検知された情報（人の存在や人の動作などの状態、居住空間内の温度や湿度、居住空間外の温度）、家電２００に対して設定された設定情報、および図８の手続きを経て得られる認証コードなどの情報である。
【００９８】
つぎに、遠隔監視装置１００は、家電２００から上記認証コードに関する情報を受信すると、認証コードが所定の製造メーカであるか否かを判断する（ステップＳ８０１）。認証コードが所定の製造メーカでないと判断した場合（ステップＳ８０１のＮｏ）、判定動作を繰り返す。
【００９９】
一方、認証コードが所定の製造メーカであると判断された場合（ステップＳ８０１のＹｅｓ）、実施の形態１で説明したように、家電２００から遠隔監視装置１００で受信した受信データの分析を行う（ステップＳ４０３）。
【０１００】
つぎに、受信データの分析が完了すると、図９に示すように、遠隔監視装置１００の制御部１２０は、該当する家電２００に制御コマンドを送信（発信）するか否かを判断する（ステップＳ４０４）。制御コマンドを送信しない場合（ステップＳ４０４のＮｏ）、ステップＳ８０１に戻って、以降のステップを実行する。
【０１０１】
一方、制御コマンドの送信が必要な場合（ステップＳ４０４のＹｅｓ）、制御部１２０は制御コマンドを、情報収集装置３００を介して、該当する家電２００へ送信する（ステップＳ４０５およびステップＳ４０６）。
【０１０２】
以上のように、本実施の形態の集合住宅向け遠隔介護システムは、特定の製造メーカのみに限定した家電２００を遠隔監視装置１００で遠隔操作することができる。
【０１０３】
本実施の形態では、家電２００の製造メーカを限定して遠隔操作する方法を例に説明したが、これに限られない。製造メーカ以外の観点、例えば機種、製造年、性能などの観点で限定してもよい。
【０１０４】
なお、上記各実施の形態では、集合住宅向け遠隔介護システムを例に説明したが、これに限られない。例えば、集合住宅は、複数の個人宅から構成される共同住宅や、複数の居住空間である病室を備える病院や、介護施設を含んでもよい。
【０１０５】
また、上記各実施の形態では、検知部２２０が家電２００に内蔵されている構成を例に説明したが、これに限られない。例えば、内蔵される検知部２２０に加えて、別に設けられた第２の検知部を備える構成としてもよい。
【０１０６】
以下に、第２の検知部を別途備える集合住宅向け遠隔介護システムの具体的な構成について、図１０を用いて、説明する。
【０１０７】
図１０は、同実施の形態における集合住宅向け遠隔介護システムの全体構成の変形例を表す図である。
【０１０８】
変形例の集合住宅向け遠隔介護システムは、図１０に示すように、家電２００とは別体に設けられた第２の検知部４００および第２の検知部５００などを備える。
【０１０９】
第２の検知部４００は、それぞれの居住空間１０１０、１０２０、１０３０、１０４０の上方（例えば、天井など）に設けられた、人感センサである。第２の検知部４００は、例えば赤外線センサや撮像カメラ、超音波センサなどで実現される。このとき、第２の検知部４００の人感センサは、家電２００が備える検知部２２０より、高い性能を有することが望ましい。なお、図１０に示す集合住宅向け遠隔介護システムにおいては、居住空間１０２０、１０３０、１０４０のそれぞれに対応して、例えば第２の検知部４００ａ、４００ｃ、４００ｄなどが配置される。
【０１１０】
また、第２の検知部５００は、それぞれの居住空間１０１０、１０２０、１０３０、１０４０内に設置されたベッドに設けられた、圧力センサなどである。なお、図１０に示す集合住宅向け遠隔介護システムにおいては、居住空間１０２０に、例えば第２の検知部５００などが配置された例で示している。
【０１１１】
まず、第２の検知部４００および第２の検知部５００は、情報収集装置３００との間で種々の情報を通信する。なお、通信は、情報収集装置３００と同様に、有線通信、無線通信のどちらでもよく、特定の通信方法に限定されない。
【０１１２】
つぎに、情報収集装置３００は、遠隔監視装置１００との間で、第２の検知部４００および第２の検知部５００の検知情報を含む情報を通信する。
【０１１３】
そして、遠隔監視装置１００は、第２の検知部４００および第２の検知部５００の検知情報を含む受信データを分析する。このとき、家電に内蔵された検知部２２０より高い性能を有する第２の検知部４００の検知情報を加味して、分析する。これにより、居住空間に存在する住人の行動（状態）に基づいて、より正確に家電２００の遠隔制御や、住人の見守り機能を実現できる。さらに、別途、設けられた圧力センサなどの第２の検知部５００の検知情報を加味して、分析する。これにより、例えば、住人の睡眠状態を把握できる。その結果、居住空間に存在する住人の睡眠状態に基づいて、最適な家電２００の遠隔制御や、住人の見守り機能を実現できる。
【０１１４】
以上で説明したように、本発明の集合住宅向け遠隔介護システムは、集合住宅を構成する居住空間内に設置された家電と、家電に設けられ、居住空間に存在する住人の行動を検知する検知部と、検知部から送信される検知情報に基づいて、複数の居住空間に設置された家電を遠隔制御する遠隔監視装置を備える構成としてもよい。
【０１１５】
これにより、見守られる人にとって監視されているという感覚が少なくなる。その結果、見守られる人に快適な居住環境を提供できる。
【０１１６】
また、本発明の集合住宅向け遠隔介護システムの遠隔監視装置は、検知部から送信される検知情報と、家電が設置される居住空間に関連する属性情報とに基づいて、家電を遠隔制御してもよい。
【０１１７】
これによれば、集合住宅内の住人の間で異なる環境にある場合でも、各住人の環境に応じて、家電を最適で快適に制御できる。
【０１１８】
また、本発明の集合住宅向け遠隔介護システムは、属性情報が、家電の設置場所に関する情報であり、遠隔監視装置は、属性情報を記憶していてもよい。
【０１１９】
これにより、家電の設置環境に応じて、家電を最適で快適に制御できる。
【０１２０】
また、本発明の集合住宅向け遠隔介護システムは、属性情報が、居住空間の日当たりに関する情報であり、遠隔監視装置は、属性情報を記憶していてもよい。
【０１２１】
これにより、居住空間の日当たり状況に応じて、家電を最適で快適に制御できる。
【０１２２】
また、本発明の集合住宅向け遠隔介護システムは、属性情報が、居住空間に設置される家電の性能情報であり、遠隔監視装置は、属性情報を記憶していてもよい。
【０１２３】
これにより、家電の性能に応じて、家電を最適で快適に制御できる。
【０１２４】
また、本発明の集合住宅向け遠隔介護システムは、属性情報が、居住空間の住人に関する情報であり、遠隔監視装置は、属性情報を記憶していてもよい。
【０１２５】
これにより、居住空間の住人の状況に応じて、家電を最適で快適に制御できる。
【０１２６】
また、本発明の集合住宅向け遠隔介護システムは、属性情報が、居住空間の家電に設けられた検知部の情報であり、遠隔監視装置は、属性情報を記憶していてもよい。
【０１２７】
これにより、家電に設けられた検知部の情報に基づいて、家電を最適で快適に制御できる。
【０１２８】
また、本発明の集合住宅向け遠隔介護システムは、集合住宅を構成する居住空間内に設置され、居住空間に存在する住人の状態を検知する第２の検知部を、さらに備え、遠隔監視装置は、検知部と第２の検知部とから送信される検知情報に基づいて、居住空間に設置された家電を遠隔制御してもよい。
【０１２９】
また、本発明の集合住宅向け遠隔介護システムは、家電が、属性情報として、家電を個別に特定する認証コードを、さらに備え、遠隔監視装置は、検知した認証コードに基づいて、特定の家電を遠隔制御してもよい。
【０１３０】
これにより、遠隔監視装置と接続する家電を限定して制御できる。その結果、集合住宅向け遠隔介護システムを低コストで実現できる。
【０１３１】
また、本発明の集合住宅向け遠隔介護システムの遠隔監視装置は、集合住宅を構成する居住空間内に設置される家電に設けられ、居住空間に存在する住人の状態を検知する検知部から送信される検知情報に基づいて、居住空間に設置された家電を遠隔制御してもよい。
【０１３２】
これにより、見守られる人にとって監視されているという感覚が少なくなる。その結果、見守られる人に快適な居住環境を提供できる。
【産業上の利用可能性】
【０１３３】
本発明システムは、人の状態などを検知し、検知情報に基づいて、高齢者の見守りや家電機器をより最適に制御する遠隔介護システムなどに有用である。
【符号の説明】
【０１３４】
１００    遠隔監視装置
１１０，２４０    通信部
１２０，２３０    制御部
１３０    表示部
１４０    入力部
１５０    属性情報記憶部
２００    家電
２００ａ，２００ｂ，２００ｃ，２００ｄ    白物家電
２１０    駆動部
２２０    検知部
４００，４００ａ，４００ｃ，４００ｄ，５００    第２の検知部
３００    情報収集装置
１０００    集合住宅
１０１０，１０２０，１０３０，１０４０    居住空間
【図１】
2017011698.tif 000003
【図２】
2017011698.tif 000004
【図３】
2017011698.tif 000005
【図４】
2017011698.tif 000006
【図５】
2017011698.tif 000007
【図６】
2017011698.tif 000008
【図７】
2017011698.tif 000009
【図８】
2017011698.tif 000010
【図９】
2017011698.tif 000011
【図１０】
2017011698.tif 000012